(57)【特許請求の範囲】
【請求項１】
複数の絶縁電線と、
内部に前記絶縁電線が通された２つの配線路を形成する金属のパイプである電線保護パイプと、を備えるワイヤハーネスであって、
前記電線保護パイプは、
当該電線保護パイプの外壁をなす筒状に形成され、当該電線保護パイプの長手方向に直交する断面が湾曲した環状に形成された筒本体部と、
前記筒本体部の内側面における前記筒本体部の軸心よりも該軸心に垂直な第1の方向の側に位置して前記軸心に平行な一対の境界線の一方から他方へ亘って一連に形成され、かつ、前記軸心に直交する断面が前記第１の方向に対し反対の第２の方向へ凸状に湾曲して形成され、前記筒本体部の中空部を前記第１の方向側の第１の配線路と前記第２の方向側の第２の配線路とに仕切る湾曲仕切壁と、を有し、
前記電線保護パイプは、前記軸心を通り前記第１の方向に沿う基準平面に沿って曲がった曲げ部を有している、ワイヤハーネス。
【請求項２】
請求項１に記載のワイヤハーネスであって、
前記電線保護パイプの前記湾曲仕切壁は、前記基準平面に対して面対称に形成されている、ワイヤハーネス。
【請求項３】
請求項２に記載のワイヤハーネスであって、
前記筒本体部の外側面における前記基準平面と交差する線に沿う部分にマークが形成されている、ワイヤハーネス。
【発明の詳細な説明】
【技術分野】
【０００１】
本発明は、絶縁電線が通される配線路を形成する金属製の電線保護パイプ及びそれを備えるワイヤハーネスに関する。
【背景技術】
【０００２】
従来、例えば特許文献１に示されるように、車両に搭載されるワイヤハーネスは、絶縁電線の周囲を囲む筒状の金属部材である電線保護パイプを備える場合がある。電線保護パイプは、絶縁電線を機械的に保護する部材であると同時に、ノイズ電磁波を遮蔽する電磁シールド部材でもある。そのため、電線保護パイプに通される絶縁電線は、編組線などのシールド部材を備えていないノンシールドタイプの電線である。
【０００３】
また、特許文献２には、内部に仕切壁が形成された電線保護パイプを採用することが提案されている。特許文献２に示される電線保護パイプの中空部は、仕切壁によって複数の配線路に仕切られている。
【０００４】
内部に仕切壁が形成された電線保護パイプが採用されれば、複数種類の絶縁電線が１つの電線保護パイプに通された場合でも、シールド部材を備えた電線を用いることなく、種類の異なる絶縁電線相互間での電磁ノイズの影響を防ぐことができる。即ち、そのような電線保護パイプは、それぞれシールド機能を有する複数の配線路を内部に形成している。
【０００５】
例えば、動力系の絶縁電線と弱電系の絶縁電線とが、仕切壁によって仕切られた別々の配線路に通されることにより、動力系の絶縁電線から弱電系の絶縁電線への電磁ノイズの影響を防ぐことができる。
【先行技術文献】
【特許文献】
【０００６】
【特許文献１】特開２００４−１７１９５２号公報
【特許文献２】特開２０１１−１４６２２８号公報
【発明の概要】
【発明が解決しようとする課題】
【０００７】
ところで、特許文献２に示される電線保護パイプは、仕切壁の断面形状が曲面形状もしくは屈曲した形状であるため曲げやすい。例えば、特許文献２の図１，３に示される例では、ジグザグに曲がった断面形状を有する仕切壁が、円筒状の本体部の軸線（中心線）を通って本体部の中空部を２等分している。これにより、電線保護パイプの中空部に、同じ形状の２つの配線路が形成される。
【０００８】
特許文献２の図１，３に示される電線保護パイプは、円筒状の本体部とジグザグの仕切壁とが繋がる部分が形成する一対の境界線のうちの一方が内側の縁をなすとともに他方が外側の縁をなすような曲げ加工を施すことが容易である。この場合、電線保護パイプの曲げ部において、本体部は、曲げ方向の寸法が収縮した扁平な形状に変形し、ジグザグの仕切壁は、蛇腹状の板材が収縮するのと同様に、本体部の直径方向において収縮する。そのため、２つの配線路各々の断面形状は、曲げ部においてもほぼ均等な形状に保たれる。
【０００９】
しかしながら、特許文献２に示されるようなジグザグに曲がった仕切壁が、筒状の本体部の軸線を通らない状態で形成されている場合、その仕切壁が、電線保護パイプの曲げ部においてどのように変形するのかを予測し難い。そのため、曲げ加工された部分において、形状の異なる２つの配線路の断面積のバランスが大きく崩れ、一方の配線路が極端に狭くなり、仕切壁が絶縁電線を圧迫する恐れがある。従って、曲げ加工される電線保護パイプの中空部を断面形状が異なる２つの配線路に区分したい場合には、特許文献２に示されるようなジグザグに曲がった仕切壁は適していない。
【００１０】
本発明は、それぞれシールド機能を有する２つの配線路が内部に形成された電線保護パイプにおいて、曲げ加工の容易性を確保しつつ、形状の異なる２つの配線路の断面積のバランスが曲げ加工された部分において大きく崩れることを防止できることを目的とする。
【課題を解決するための手段】
【００１１】
本発明の第１の態様に係るワイヤハーネスは、複数の絶縁電線と、内部にそれら絶縁電線が通された２つの配線路を形成する金属のパイプである電線保護パイプとを備えている。さらに、その電線保護パイプは、以下に示される筒本体部と湾曲仕切壁とを有している。上記筒本体部は、当該電線保護パイプの外壁をなす筒状に形成され、当該電線保護パイプの長手方向に直交する断面が湾曲した環状に形成された部分である。また、上記湾曲仕切壁は、上記筒本体部の内側面における上記筒本体部の軸心よりもその軸心に垂直な第1の方向の側に位置して上記軸心に平行な一対の境界線の一方から他方へ亘って一連に形成され、かつ、上記軸心に直交する断面が上記第１の方向に対し反対の第２の方向へ凸状に湾曲して形成され、上記筒本体部の中空部を上記第１の方向側の第１の配線路と上記第２の方向側の第２の配線路とに仕切る部分である。さらに、上記電線保護パイプは、上記軸心を通り上記第１の方向に沿う基準平面に沿って曲がった曲げ部を有している。
【００１２】
本発明の第２の態様に係るワイヤハーネスは、第１の態様に係るワイヤハーネスの一態様である。第２の態様に係るワイヤハーネスにおいて、上記電線保護パイプの上記湾曲仕切壁は、上記基準平面に対して面対称に形成されている。
【００１３】
本発明の第３の態様に係るワイヤハーネスは、第２の態様に係るワイヤハーネスの一態様である。第３の態様に係るワイヤハーネスにおいて、上記筒本体部の外側面における上記基準平面と交差する線に沿う部分にマークが形成されている。
【発明の効果】
【００１５】
第１〜第３の態様において、電線保護パイプは、その内部に、金属の筒本体部と金属の湾曲仕切壁とによって周囲が囲まれた第１の配線路及び第２の配線路を形成している。これら２つの配線路は、周囲が導電性の壁で囲まれているためそれぞれシールド機能を有する。また、２つの配線路の形状は異なる。
【００１６】
第１〜第３の態様において、電線保護パイプを構成する筒本体部及び湾曲仕切壁は、筒本体部の軸心を通り第１の方向に沿う平面である基準平面に沿って曲げ加工される場合、曲げ方向において補強部となる角部を有していない。そのため、筒本体部及び湾曲仕切壁は、基本的に基準平面に沿って曲げやすい形状を有している。
【００１７】
また、電線保護パイプが基準平面に沿って曲げ加工される場合、筒本体部は、その断面形状が概ね軸心を中心として扁平な形状へ変形する。その際、筒本体部において、第１の方向及び第２の方向に沿う方向の寸法である第１の幅寸法が収縮し、筒本体部の軸心と第１の方向とに直交する方向の第２の幅寸法が拡大する。同時に、湾曲仕切壁は、筒本体部の第２の幅寸法の拡大に追従して、曲率が小さくなるように変形する。即ち、湾曲仕切壁は、基準平面に沿った筒本体部の曲げ加工を阻害しにくい構造を有している。
【００１８】
また、電線保護パイプが基準平面に沿って曲げ加工されることにより、湾曲仕切壁の曲率小さくなるとともに筒本体部が扁平化した場合、２つの配線路は、それぞれの断面形状がやや扁平化するものの、断面積のバランスはあまり崩れない。
【００１９】
従って、第１〜第３の態様に係るワイヤハーネスが採用されることにより、それぞれシールド機能を有する２つの配線路が内部に形成された電線保護パイプにおいて、曲げ加工の容易性を確保しつつ、形状の異なる２つの配線路の断面積のバランスが曲げ加工された部分において大きく崩れることを防止できる。
【００２０】
また、第２の態様において、電線保護パイプの湾曲仕切壁は、基準平面に対して面対称に形成されている。そのため、電線保護パイプの曲げ部において、形状の異なる２つの配線路の断面積のバランスの崩れがより抑制される。
【００２１】
また、第３の態様の電線保護パイプにおいて、筒本体部の外側面における基準平面と交差する線に沿う部分にマークが形成されている。これにより、電線保護パイプにおける曲げ加工に適した向きの確認が容易となる。
【図面の簡単な説明】
【００２２】
【図１】本発明の実施形態に係る電線保護パイプ１の斜視図である。
【図２】電線保護パイプ１の断面図である。
【図３】電線保護パイプ１の第１の正投影図及び第２の正投影図である。
【図４】本発明の実施形態に係るワイヤハーネス１０の斜視図である。
【図５】ワイヤハーネス１０の直管部の断面図である。
【図６】ワイヤハーネス１０の曲げ部の断面図である。
【発明を実施するための形態】
【００２３】
以下、添付の図面を参照しながら、本発明の実施形態について説明する。以下の実施形態は、本発明を具体化した一例であり、本発明の技術的範囲を限定する事例ではない。
【００２４】
＜電線保護パイプ＞
まず、図１〜３を参照しつつ、本発明の実施形態に係る電線保護パイプ１の構成について説明する。電線保護パイプ１は、内部に絶縁電線９が通される２つの配線路２１，２２を形成する金属のパイプである。なお、図２において、絶縁電線９が仮想線（二点鎖線）で描かれている。
【００２５】
電線保護パイプ１は、例えば、アルミニウム又はステンレスなどを主成分とする材料で構成された筒状の部材であることが考えられる。また、電線保護パイプ１の外側の表面には、必要に応じてメッキ層又は塗料の層が形成されていることが考えられる。
【００２６】
図１，２に示されるように、電線保護パイプ１は、筒本体部１１と湾曲仕切壁１２とを有している。筒本体部１１は、電線保護パイプ１の外壁をなす筒状に形成された部分である。また、筒本体部１１は、電線保護パイプ１の長手方向に直交する断面が湾曲した環状に形成されている。図１，２に示される例では、筒本体部１１は円筒状である。
【００２７】
図１〜３には、筒本体部１１の軸心Ｒ０が一点鎖線で描かれている。軸心Ｒ０は、筒本体部１１の中心線である。また、図１〜３には、軸心Ｒ０に垂直な方向である第１の方向Ｒ１及びその第１の方向Ｒ１に対し反対の方向である第２の方向Ｒ２が、矢印付の一点鎖線で示されている。さらに、図１，２には、軸心Ｒ０を通り第１の方向Ｒ１に沿う平面である基準平面Ｆ０も一点鎖線により描かれている。
【００２８】
なお、図２，５，６は、軸心Ｒ０に直交する断面を示す。また、図３（ａ）は、第１の方向Ｒ１から見た電線保護パイプ１の正投影図である。また、図３（ｂ）は、第２の方向Ｒ２から見た電線保護パイプ１の正投影図である。
【００２９】
一方、湾曲仕切壁１２は、筒本体部１１の中空部を第１の方向Ｒ１側の第１の配線路２１と第２の方向Ｒ２側の第２の配線路２２とに仕切る壁である。湾曲仕切壁１２は、筒本体部１１の内側面における軸心Ｒ０よりも第１の方向Ｒ１の側に偏って位置するとともに軸心Ｒ０に平行な一対の境界線ＢＬ１，ＢＬ２の一方から他方へ亘って一連に形成されている。
【００３０】
湾曲仕切壁１２の両端部である一対の境界線ＢＬ１，ＢＬ２が、より第１の方向Ｒ１に偏って配置されれば、第１の配線路２１の断面積に対する第２の配線路２２の断面積の比をより大きくなる。
【００３１】
さらに、湾曲仕切壁１２は、軸心Ｒ０に直交する断面全体が第２の方向Ｒ２へ凸状に湾曲して形成されている。図１，２に示される例では、湾曲仕切壁１２における軸心Ｒ０に直交する断面の形状は、第２の方向Ｒ２へ凸状に形成された円弧状である。
【００３２】
また、本実施形態において、湾曲仕切壁１２は、基準平面Ｆ０に対して面対称に形成されている。従って、一対の境界線ＢＬ１，ＢＬ２も、基準平面Ｆ０に対して面対称である。電線保護パイプ１は、例えば、引き抜き加工又は押し出し加工により成形される。
【００３３】
また、図１〜３に示される例では、筒本体部１１は均一な厚みで形成されている。同様に、湾曲仕切壁１２も均一な厚みで形成されている。
【００３４】
また、図１〜３に示されるように、筒本体部１１の外側面における基準平面Ｆ０と交差する線に沿う部分には、その線に沿ったマーク３が形成されている。図２に示される例では、マーク３は、筒本体部１１の外側面に溝状に刻まれている。なお、マーク３が、塗料などによって記されることも考えられる。
【００３５】
また、図３に示される例では、筒本体部１１の外側面における基準平面Ｆ０と交差する２箇所の部分のうち、第１の方向Ｒ１の端面をなす部分に形成された第１のマーク３１と、第２の方向Ｒ２の端面をなす部分に形成された第２のマーク３２とは、それぞれ異なる模様で記されている。例えば、第１のマーク３１及び第２のマーク３２のうちの一方が実線のマークであり、他方が破線のマークである。なお、第１のマーク３１及び第２のマーク３２のうちの一方が省略されてもよい。
【００３６】
図１に示される電線保護パイプ１は直管であるが、ワイヤハーネスの一部として提供される際には、曲げ加工が施された状態で提供される。
【００３７】
＜ワイヤハーネス＞
次に、図４〜６を参照しつつ、本発明の実施形態に係るワイヤハーネス１０について説明する。ワイヤハーネス１０は、複数本の絶縁電線９と、それら絶縁電線９が中空部に通された電線保護パイプ１とを備えている。
【００３８】
絶縁電線９は、導電材料からなる芯線９ａと、芯線９ａの周囲を覆う絶縁材料からなる絶縁被覆９ｂとにより構成された電線である。絶縁電線９の端部には、不図示の端子金具又はコネクタが設けられる場合が多い。
【００３９】
また、ワイヤハーネス１０が備える電線保護パイプ１は、少なくとも１箇所において、基準平面Ｆ０に沿って曲がった曲げ部１０２を有している。即ち、ワイヤハーネス１０において、電線保護パイプ１は、曲げ加工が施されていない直管部１０１と、曲げ加工が施された曲げ部１０２とにより構成されている。
【００４０】
図５は電線保護パイプ１の直管部１０１におけるワイヤハーネス１０の断面図であり、図６は電線保護パイプ１の曲げ部１０２におけるワイヤハーネス１０の断面図である。
【００４１】
図４に示される例では、電線保護パイプ１は、第１の曲げ部１０２ａと第２の曲げ部１０２ｂとを有している。第１の曲げ部１０２ａは、筒本体部１１における第１の方向Ｒ１の端面が内側の縁をなすとともに第２の方向Ｒ２の端面が外側の縁をなす曲げ部である。一方、第２の曲げ部１０２ｂは、筒本体部１１における第２の方向Ｒ２の端面が内側の縁をなすとともに第１の方向Ｒ１の端面が外側の縁をなす曲げ部である。
【００４２】
また、図４〜６に示されるように、ワイヤハーネス１０が備える複数の絶縁電線９の一部は、電線保護パイプ１における第１の配線路２１に通されており、残りの一部は第２の配線路２２に通されている。図４〜６に示される例では、第１の配線路２１及び第２の配線路２２には、絶縁電線９が３本ずつ通されているが、２つの配線路２１，２２各々への絶縁電線９の配分はこれに限られない。例えば、２つの配線路２１，２２各々に通される絶縁電線９の本数が異なることも考えられる。また、２つの配線路２１，２２各々に絶縁電線９が１本ずつ通されることも考えられる。
【００４３】
ワイヤハーネス１０において、第１の配線路２１に通された第１の絶縁電線９１と、第２の配線路２２に通された第２の絶縁電線９２とは種類が異なる。例えば、第１の絶縁電線９１及び第２の絶縁電線９２の一方が動力系の絶縁電線９であり、他方が弱電系（信号系）の絶縁電線９であることが考えられる。
【００４４】
図５，６に示されるように、電線保護パイプ１は、その内部に、金属の筒本体部１１と金属の湾曲仕切壁１２とによって周囲が囲まれた第１の配線路２１及び第２の配線路２２を形成している。これら２つの配線路２１，２２は、周囲が導電性の壁で囲まれているためそれぞれシールド機能を有する。また、２つの配線路２１，２２の断面形状は異なる。
【００４５】
電線保護パイプ１は、例えば、絶縁電線９が２つの配線路２１，２２に通された後に曲げ加工が施される。この場合、絶縁電線９を２つの配線路２１，２２に通す作業が容易である。なお、電線保護パイプ１に対する曲げ加工が、絶縁電線９が２つの配線路２１，２２に通される前に行われることも考えられなくはない。
【００４６】
図５，６に示されるように、電線保護パイプ１を構成する筒本体部１１及び湾曲仕切壁１２は、基準平面Ｆ０に沿って曲げ加工される場合、曲げ方向において補強部となる角部を有していない。そのため、筒本体部１１及び湾曲仕切壁１２は、基本的に基準平面Ｆ０に沿って曲げやすい形状を有している。
【００４７】
また、図６に示されるように、電線保護パイプ１が基準平面Ｆ０に沿って曲げ加工される場合、筒本体部１１は、その断面形状が概ね軸心Ｒ０を中心として扁平な形状へ変形する。その際、筒本体部１１において、第１の方向Ｒ１及び第２の方向Ｒ２に沿う方向の寸法である第１の幅寸法Ｗ１が収縮し、筒本体部１１の軸心Ｒ０と第１の方向Ｒ１とに直交する方向の第２の幅寸法Ｗ２が拡大する。同時に、湾曲仕切壁１２は、筒本体部１１の第２の幅寸法Ｗ２の拡大に追従して、曲率が小さくなるように変形する。即ち、湾曲仕切壁１２は、基準平面Ｆ０に沿った筒本体部１１の曲げ加工を阻害しにくい構造を有している。
【００４８】
また、図６に示されるように、電線保護パイプ１が基準平面Ｆ０に沿って曲げ加工されることにより、湾曲仕切壁１２の曲率小さくなるとともに筒本体部１１が扁平化した場合、２つの配線路２１，２２は、それぞれの断面形状がやや扁平化するものの、断面積のバランスはあまり崩れない。
【００４９】
なお、湾曲仕切壁１２の曲率が大きすぎると、湾曲仕切壁１２が基準平面Ｆ０に沿って曲がりにくくなる。そのため、湾曲仕切壁１２の曲率は、電線保護パイプ１の曲げ加工の際に筒本体部１１の扁平化を阻害しない範囲内で小さめに設定されることが望ましい。
【００５０】
＜効果＞
以上に示したことから、ワイヤハーネス１０が採用されることにより、それぞれシールド機能を有する２つの配線路２１，２２が内部に形成された電線保護パイプ１が提供される。また、そのような電線保護パイプ１において、曲げ加工の容易性は確保されている。さらに、電線保護パイプ１が採用されれば、形状の異なる２つの配線路２１，２２の断面積のバランスが曲げ部１０２において大きく崩れることを防止することができる。
【００５１】
また、電線保護パイプ１において、湾曲仕切壁１２が、基準平面Ｆ０に対して面対称に形成されている場合、曲げ部１０２において、形状の異なる２つの配線路２１，２２の断面積のバランスの崩れがより抑制される。
【００５２】
また、電線保護パイプ１において、筒本体部１１の外側面における基準平面Ｆ０と交差する線に沿う部分にマーク３が形成されている。これにより、電線保護パイプ１における曲げ加工に適した向き、即ち、基準平面Ｆ０に沿った向きの確認が容易となる。
【００５３】
＜その他＞
電線保護パイプ１において、筒本体部１１が円筒ではない筒状であることも考えられる。例えば、筒本体部１１が、楕円の断面形状を有する筒状であることも考えられる。同様に、湾曲仕切壁１２が、円弧状ではない断面形状を有することも考えられる。例えば、湾曲仕切壁１２が、楕円弧状の断面形状を有する壁であることが考えられる。
【００５４】
また、電線保護パイプ１において、マーク３が、筒本体部１１の外側面における、軸心Ｒ０を通り基準平面Ｆ０に直交する平面と交差する線に沿って形成されていることも考えられる。
【符号の説明】
【００５５】
１  電線保護パイプ
３  マーク
９  絶縁電線
１０  ワイヤハーネス
１１  筒本体部
１２  湾曲仕切壁
２１  第１の配線路
２２  第２の配線路
３１  第１のマーク
３２  第２のマーク
９１  第１の絶縁電線
９２  第２の絶縁電線
１０１  直管部
１０２  曲げ部
１０２ａ  第１の曲げ部
１０２ｂ  第２の曲げ部
９ａ  芯線
９ｂ  絶縁被覆
ＢＬ１，ＢＬ２  境界線
Ｆ０  基準平面
Ｒ０  軸心
Ｒ１  第１の方向
Ｒ２  第２の方向
Ｗ１  第１の幅寸法
Ｗ２  第２の幅寸法
【図１】
0005811946.tif 000002
【図２】
0005811946.tif 000003
【図３】
0005811946.tif 000004
【図４】
0005811946.tif 000005
【図５】
0005811946.tif 000006
【図６】
0005811946.tif 000007